(57)【特許請求の範囲】
【請求項１】
車両内の貨物エリアの側壁に対して物品を支え、それらを適切な位置に固定することによって前記貨物エリア内の保持が緩い物品を固定する自立壁装置であって、
垂直壁と水平な地面壁を有し、断面がＬに成型された片と、
前記地面壁に力を伝達することによって前記垂直壁を支持する一体成型されたリブと、
カーペット敷きの面の適切な位置に前記装置を保持するためのグリップの手段として地面壁の下側に沿って固定された面ファスナーのフック材料の２個の連続したストリップと、
カーペット敷きの表面から前記装置を除去するときに、一定の剥離効果を提供するために、個々に使用され、また前記連続した面ファスナーのストリップによって促されるように前記垂直壁の両端に配置された２個の取っ手とを備え、
前記垂直壁には、複数のスロットが形成されていることを特徴とする、自立壁装置。
【請求項２】
前記面ファスナーのフック材料の２個の連続したストリップは、それぞれ略同一の幅であることを特徴とする、請求項１に記載の自立壁装置。
【発明の詳細な説明】
【技術分野】
【０００１】
本発明は、車の荷物入れ又はトランク内の物品を固定することに関する。
【背景技術】
【０００２】
車の貨物エリアに緩く保持されている物品は、輸送中によく問題になる。車両が動いている間に自由に移動することによって、保持が緩い物品が損傷を引き起こしたり、損傷を受けたりすることがある。これらの物品は、損傷を受けやすい、損傷を引き起こし易い又は貨物エリア内を混乱させ易い物品を含むが、これらに限定されない。例えば、重い物品、壊れやすい又は脆弱な物品、いびつな形の物品、内容物をこぼし易い物品等の物品。これらは、例えば鉢植え、ラップトップ、車いす、乳母車、クールボックス、スポーツ設備や物品（例えばフットボール、ラグビーボール、キックスケーター、スケートボードなど）、ショッピングの物品（例えば、ボトル、缶、食料品など）、荷物を含む。
【０００３】
これらの物品は緩いままにされていると、輸送中に破損したり他の物品に損傷を引き起こしたりする可能性がある。貨物エリア内でのそのような物品の動きは、車両の運転手や乗客に不快感や不安を引き起こす可能性がある。
【０００４】
この問題を解決することを目的とするのに利用できるこの装置と製品は、物品を固定することを目的とする箱と、中に置かれた物品を保持できる製品内に区画を作るために使用された内壁と折り畳める蓋を特徴とする他の製品とから成る。
【０００５】
これらの製品は、小さい物品やいくつかの小さな物品に限定されるが、ボックスまたは特定の区画が、その区画内で他の物品の移動を防止するための十分な物品があるというポイントまで満たされていない限り効果的に動作しない。 
【０００６】
車両の移動は、これらの物品をボックスまたは区切られた保存ユニット内で動き回らせる可能性があり、また、車両の移動が急過ぎると、ボックスまたは他の保存ユニットが同様にスライドする、又は貨物エリアを動き回る可能性がある。
【０００７】
従って、本発明は、それ自体が貨物エリアの床面に貼付されている間、貨物エリアの側壁に対して物品を固定することができる硬いプラスチック自立壁である。
【発明の概要】
【発明が解決しようとする課題】
【０００８】
本発明は、車の貨物エリア内のカーペットに取り付けられ、保持が緩い物品を貨物エリアの側壁に対してしっかりと保持することができる、大きく、堅く、自立型の、プラスチックのＬ字型の壁である。
【課題を解決するための手段】
【０００９】
本発明は以下を含む：
「L」字型の断面を有する堅いプラスチック壁；‘Ｌ’の水平面が貨物エリアの床に位置し、そのユニットの直立状態を維持している間、’Ｌ’の垂直面は物品を下支えする。
【００１０】
支持する成型リブ構造；
ユニットの垂直面に及ぼされた横方向の力をユニットの水平面上に下向きに働く垂直方向の力に伝達する一連の成型リブ
【００１１】
貨物エリア内の地面にユニットを固定するための固定装置；
貨物エリア内のカーペット敷きの床にユニットを固定するのに役立つユニットの底面に位置するフックとループの面ファスナー（Ｖｅｌｃｒｏ）の一連の2つの長い連続したストリップ。
ストリップは、様々な分離の程度で位置する個々のピースとは対照的にユニットの底部に沿って連続していることにより、「剥離」動作によって、カーペット敷きの床面からのユニットの円滑な除去を可能にする。これは、個々の面ファスナー片が使用されている場合（上向きに引っ張られたときにユニットの一端を突然に自由にするが）、ユニットを除去するときに経験される突然のぎくしゃくした動きと異なる。
【００１２】
ユニットの両端の個々の取っ手；
手でユニットを把持するための個々の取っ手やグリップ穴。これらの取っ手は、ユニットの持ち上げやカーペット敷きの表面からのユニットの「剥離」を容易にする。他の製品に見られるように、中央に位置している場合とは対照的に、発明の両端に取っ手を位置させることにより、ユーザーは、簡単に、ユニットの片側を持ち上げ、カーペットの上の面ファスナーのグリップを壊すことができ、面ファスナーの連続するストリップに促されてカーペットからユニットを安定して剥がし続けることができる。これは、安定で一定の剥離効果を与える。しかし、製品の中央の取っ手が使用される場合、これは、面ファスナーとカーペットの間のグリップを破壊するために必要とされる強い力を引き起こすことになり、その後、ユーザーまたは製品に害を引き起こす可能性のある突然の解放をもたらすことになる。
【００１３】
本発明は、貨物エリア内の保持が緩い物品の収納を簡略化するために使用されることを意図している。物品は、貨物エリア内に配置されており、本発明は、保持が緩い物品に対して、貨物エリアの側壁に対してそれらを基本的に割り込ませるように単に置かれるだけである。本発明の1ユニットだけがあれば、大小のほとんどのオブジェクトに満足した使用ができる。こうした大きい物品を用いる場合に、本発明は、１軸内での移動を防止するために物品の１つの部分に平行に置くことが出来、また、２軸内の物品の移動を防止するために物品の角に対して斜めに置くことが出来る。小さい物品については、本発明は、物品を配置できる小さい区画を作成するために、貨物エリアの２つの壁に隣接して斜めに配置することができる。囲まれた物品を確実に嵌め合わせるために貨物エリアの壁の間に本発明が配置される角度を変えることによって、この区画を調節することができる。本発明の多数のユニットを一致して使用することは、大小いずれかの物品の拘束のために必要でない。
【００１４】
また、本発明は、付属品を追加するための取付方法を含む。付属品としては、ボトルを保持するための弾性ストラップ、ビニールの買い物袋を格納するための追加の箱、又は他の貨物エリアを乱雑にする必須の自動車付属品を含むがこれらに限定されない。
【図面の簡単な説明】
【００１５】
【図１】本発明の正面図を示す。
【図２】本発明の背面図を示す。
【図３】本発明の平面図を示す。
【図４】本発明の底面図を示す。
【図５】本発明の側面図を示す。
【図６】本発明の下方と正面の観点からの等角図を示す。
【図７】本発明の上方と背面の観点からの等角図を示す。
【発明を実施するための形態】
【００１６】
図面を参照すると、車両内の貨物エリア内の保持が緩い物品を固定するための自立型壁の好適な実施形態が図1から７に示されている。
【００１７】
自立型壁の製品（1）は、耐久性があって丈夫な特性の成形プラスチックから構成され、損傷を受けやすい空洞領域を有さず全体が堅い。製品（１）は、図５に示されるように、断面がＬ字型であり、保持が緩い物品を固定するために使用される前壁（2）は、前壁に対する横方向の力を地面壁（４）に伝達するプラスチック成形リブ（3）によって支えられ、強化されている。製品（１）は、接着剤で地面壁（4）の下側に接着された長い面ファスナーのフックとループのストリップ（5）のみが付加された全体が堅い一つのプラスチック片である。面ファスナーストリップ(5)の目的は、車の貨物エリアで見られるカーペットの表面で製品（１）を所定の位置に固定し保持することである。製品（１）の場合、使用されたストリップ（５）は、グリップ効果を達成するためのループ材料の役割をするカーペットとフック材料だけである。前壁（２）において、製品（１）の両端に２個の取っ手（６）が位置している。これらの目的は、カーペット敷きの面から製品（１）を掴んで除去するのを助けることである。取っ手（6）は、ユーザーに簡単な体験を提供するように前壁（2）の両端にそのように位置している。１個の取っ手（６）掴み、上方に持ち上げるとき、これは面ファスナーにカーペットの把持を中断させ、製品（１）に上方への移動を開始させる。面ファスナーの連続したストリップが形成する把持により、把持が中断されても持ち上げと剥がしの効果は安定して持続され、このことは、連続したストリップの代わりに個々の又は面ファスナーの分かれた部分を用いた場合に生じるであろう突然の解放の結果としての、添付されたアクセサリー（７）内に封入された物品、製品（１）に対する物品、又はユーザーへのいかなる損害も無く、製品（１）を安全に除去できることを意味する。前壁（２）には、幾つかのスロット（７）がある。これらのスロット（７）は、前壁（２）の両端で開いており、多様な、同類の、追加の用途での製品（１）を助けるアクセサリーの接続のためである。
【図１】
0006443863.tif 000002
【図２】
0006443863.tif 000003
【図３】
0006443863.tif 000004
【図４】
0006443863.tif 000005
【図５】
0006443863.tif 000006
【図６】
0006443863.tif 000007
【図７】
0006443863.tif 000008